(57)【要約】【課題】  履き口の弾性力を充分に確保して履きやすく長時間着用したときでも脹脛部分に弾性糸による跡形がつきにくい靴下を提供できるようにする。【解決手段】  履き口の近傍の所定のコースを引き返し編によりスリットを形成し、編み終わりの少なくとも１コースを弾性糸で形成するとともに、当該弾性糸で形成された終端の編目を伏せ目処理することにより履き口部分にスリットを形成した。【選択図】図３
2006183189.tif 000002
【特許請求の範囲】
【請求項１】
ニードルベッドをその歯口部分を突き合わせた状態で少なくとも前後一対に設けた横編機で、つま先部分から編み出され、履き口部分が編み終わりとなる靴下であって、履き口の近傍の所定のコースを引き返し編によりスリットを形成し、編み終わりの少なくとも１コースを弾性糸で形成するとともに、当該弾性糸で形成された終端の編目を伏せ目処理することにより履き口部分にスリットを有する靴下。
【請求項２】
靴下が爪先部分に複数の指袋を有する指付き靴下である請求項１に記載の履き口部分にスリットを有する靴下。
【請求項３】
指袋が、各指が入る５本の指袋であって、靴下が自由状態のとき、親指の指袋の高さより人指の指袋の高さを高くしたことを特徴とする請求項２に記載の履き口部分にスリットを有する靴下。
【発明の詳細な説明】
【技術分野】
【０００１】
本発明は、ニードルベッドをその歯口部分を突き合わせた状態で少なくとも前後一対に設けた横編機により、履き口部分にスリットを有する靴下に関するものである。
【背景技術】
【０００２】
横編機で靴下を編成する場合、歯口部分を突き合わせた状態で前後に一対のニードルベッドを設けてなる横編機の前後のニードルベッドにわたって、編糸を周回状に給糸させて靴下を筒状に形成するようにしている。
そして、靴下の編み出しは履き口部分から編み立てる場合と、つま先部分から編み立てる場合とがある。
履き口部分から編み立てる場合、通常の編糸が給糸されるために当該履き口部分の伸縮性が損なわれてしまうという問題があった。
そこで本発明の出願人はつま先部分から編み立て、履き口の編み終わり部分に弾性糸で編目を形成し、この弾性糸の編目を伏せ目することにより弾性を有する履き口を形成するようにしたものを提案している（特許文献１）。
【特許文献１】特開平９−１８８９４５号公報
【発明の開示】
【発明が解決しようとする課題】
【０００３】
上記先の提案にかかるものでは、弾性糸を使用しないものに比べて、履き口の弾性を保持することができるものの、長時間着用したときに弾性糸の弾性力により履き口が位置する脹脛部分が締め付けられ、跡形がつくという問題があった。
本発明は上記問題に鑑み提案されたもので、履き口の弾性力を充分に確保して履きやすく長時間着用したときでも脹脛部分に弾性糸による跡形がつきにくい靴下を提供できるようにすることを目的とするものである。
【課題を解決するための手段】
【０００４】
上記目的を達成するために本発明にかかる靴下は、ニードルベッドをその歯口部分を突き合わせた状態で少なくとも前後一対に設けた横編機で、つま先部分から編み出され、履き口部分が編み終わりとなる靴下であって、履き口の近傍の所定のコースを引き返し編によりスリットを形成し、編み終わりの少なくとも１コースを弾性糸で形成するとともに、当該弾性糸で形成された終端の編目を伏せ目処理することにより履き口部分にスリットを有したことを特徴とするものである。
【０００５】
また、本発明では、靴下が爪先部分に複数の指袋を有する指付き靴下であることや、指袋が、各指が入る５本の指袋であって、靴下が自由状態のとき、親指の指袋の高さより人指の指袋の高さを高くしたことも特徴とするものである。
【発明の効果】
【０００６】
本発明は、ニードルベッドをその歯口部分を突き合わせた状態で少なくとも前後一対に設けた横編機で、つま先部分から編み出され、履き口部分が編み終わりとなる靴下であって、履き口近傍の所定のコースを引き返し編によりスリットを形成し、編み終わりの少なくとも１コースを弾性糸で形成するとともに、当該弾性糸で形成された終端の編目を伏せ目処理することにより履き口部分にスリットを形成するようにしてある。
これにより、弾性糸の弾性力により履き口の弾性力を保持できるとともに、靴下を履くときとは、スリットが開くために楽に履くことができる。
また、着用中もスリットが開閉することにより脹脛部分に局部的な締め付け力が作用するのがなくなり、足に弾性糸の跡形がつきのを防止することができる利点がある。
【発明を実施するための最良の形態】
【０００７】
以下、本発明にかかる履き口部分にスリットを有する靴下の好ましい実施の形態を図面に基づいて説明する。
図１はつま先部分に五本の指袋を設けてなる指付き靴下の斜視図、図２は靴下の底面図であって、図中符号１はこの靴下を全体的に示す。
この靴下１は、爪先部分２側から編み出され、土踏まず３部分、裏面側に踵２０部分、足首４部分及び履き口５部分が順次編成されて形成されており、足首４部分から脹脛部分を経て履き口５が編み終わりとなり、履き口部分には１本のスリット６が形成されている。
【０００８】
上記靴下１の編成について説明すると、図示は省略したが、編機は前後にニードルベッドを歯口部が突き合わされた状態にして前後に一対配設した横編機を使用し、編み始めの編み立ては、先ず、前後のニードルベッドの編針に亙って編糸をジグザグに供給した後、当該前後のニードルベッドの編針にわたって周回状に給糸して袋状の親指用の指袋７を形成する。
然る後、同様にして人差し指用の指袋８、中指用の指袋９、薬指用の指袋１０ｂが編成される。
このとき、人差し指用の指袋８の先端部分８ａが親指用の指袋７の先端部分７ａよりも長さＡ分長く突出するように長くした所謂ギリシャ型に形成してある。
親指用の指袋７から薬指用の指袋１０間での四本の指袋７・８・９・１０が形成された後、この四本の指袋７・８・９・１０を合一した四本胴１１が所定コース周回編成される。
【０００９】
しかる後、小指用の指袋１２が上記各指袋と同様にして形成されて前記四本胴１１と合一された五本胴１３が形成される。
上記各指袋７〜１０・１２の底面、つまり各指の下面（腹）部分があたる部分と、体重がかかる五本胴１３の指袋７〜１０・１２近傍の下面部分とにはガータ編み１４部分が形成されている。
また、足の甲の五本胴１３部分で指袋７〜１０・１２近傍にメッシュ編１５が施されており、これらガータ編１４及びメッシュ編１５を連結する側方部分及び土踏まず３側部分にリブ編１６部分が形成されている。
【００１０】
土踏まず３部分では、弾性糸（ゴム糸やＦＴＹ等）を挿入して筒状の径を小径にして締め込み部１７が形成された後、ゴム糸の挿入されないガータ編１８で踵２０部分にいたる。
踵２０部分では、靴下１の上面部分（足の甲側）を編成する側のニードルベッド（例えば前側のニードルベッド）を休止させ、靴下１の下面（足の裏側）を編成する側のニードルベッド（例えば後側のニードルベッド）の編み幅を徐々に減少させた後、その編み幅を元の幅に復帰させるようにパール編１９で編成すると、ここに踵２０の膨らみが形成される。
【００１１】
踵２０部分が編成されると、再び前後のニードルベッドの編針にわたって周回状に給糸して踝２０部分がガータ編２１で形成されて足首４部分に至る。
足首４部分から履き口５部分まではリブ編２２で筒状に形成されるが、足首側部分で小径にするために足首部分から履き口部分までの１／４部分２２ａは１×１のリブ編２３、１／４〜２／４部分２２ｂは２×１のリブ編２３、２／４からスリット６が形成される履き口５までの部分２２ｃは３×１のリブ編２３で形成されている。
履き口５部分のスリット６は、履き口５部分近傍の所定コース数をこれまで前後のニードルベッドの編針にわたって周回状に給糸していたのを、ニードルベッドの一端、例えば右端で引き返すのを繰り返すことにより、当該端部分にスリット６が形成される。
【００１２】
そして、スリット６の終端部、即ち履き口５の端部の編成コースでは編糸を弾性糸（ゴム糸やＦＴＹ等）に代えて２コース編成し、弾性糸による編目２４を形成する（図３参照）。
上記のようにして形成された弾性糸による編目２４をスリットの一端側から他端に向けて目移しして伏せ目処理してゆき、最後の編目を解れ止めすると、本発明にかかる靴下１の編成が完成する。
【００１３】
上記のようにして形成された靴下１では、各指の下面（腹）部分があたる各指袋７〜１０・１２の底面部分と、体重がかかる五本胴１３の指袋７〜１０・１２近傍の下面部分とに形成されたガータ編１４み部分でクッション性と滑り止めがされ、甲の五本胴１３部分で指袋７〜１０・１２近傍に形成されたメッシュ編１１部分で指股部分の蒸れが防止される。
また、弾性糸の弾性力により履き口５の弾性力を保持されるとともに、靴下１を履くときとは、スリットが開くために楽に履くことができる。
そして、靴下１の着用中もスリット６が開閉することにより、脹脛部分に局部的な締め付け力が作用するのがなくなり、足に弾性糸の跡形がつくのが無くなる。
【００１４】
尚、上記実施の形態では、指付き靴下を例にせつめいしてあるが、こうしたものに限られず図４に示すように指袋のないものにも実施することができるのはいうまでも無いことである。
また、本発明にかかる靴下１に形成される柄編部分は種々に変更することができるのはもちろんのこと、１種類の組織の編地で形成することもできる。
【図面の簡単な説明】
【００１５】
【図１】は本発明にかかる靴下の斜視図である。
【図２】は本発明にかかる靴下の底面図である。
【図３】は本発明にかかる靴下の履き口部分の斜視図である。
【図４】は本発明にかかる靴下の変形例を示す斜視図である。
【符号の説明】
【００１６】
１・・・靴下
２・・・爪先部分
５・・・履き口部分
６・・・スリット
【図１】
2006183189.tif 000003
【図２】
2006183189.tif 000004
【図３】
2006183189.tif 000005
【図４】
2006183189.tif 000006
【手続補正書】
【提出日】平成17年2月3日(2005.2.3)
【手続補正１】
【補正対象書類名】特許請求の範囲
【補正対象項目名】請求項３
【補正方法】変更
【補正の内容】
【請求項３】
指袋が、各指が入る５本の指袋であって、靴下が自由状態のとき、親指用の指袋の高さより人差し指用の指袋の高さを高くしたことを特徴とする請求項２に記載の履き口部分にスリットを有する靴下。
【手続補正２】
【補正対象書類名】明細書
【補正対象項目名】０００５
【補正方法】変更
【補正の内容】
【０００５】
また、本発明では、靴下が爪先部分に複数の指袋を有する指付き靴下であることや、指袋が、各指が入る５本の指袋であって、靴下が自由状態のとき、親指用の指袋の高さより人差し指用の指袋の高さを高くしたことも特徴とするものである。